Podtech/llm-jp-corpus-v4-ja_patent huggingface dataset:
(57)【要約】【課題】旅行や外出する時に流行などによって洋服の色やデザインなどに合わせてブーツなどの履物を持参したり新しく買い揃えたりの収納も経済的負担も大きく、困難である。  本発明は、ブーツなどの履物を新しく購入しなくても手持ちの一足で色やデザイを変更可能にするシューズ変身アンクレットを提供する。【解決手段】ブレスレットのように付け替えが出来る輪状の飾りであるアンクレットをブーツなどの履物の履き口や足首周辺に透明素材の袋状のベルトを用い、ベルト開口部を有するクリアベルトを形成し、クリアベルトの袋状の内部に様々なカラーや柄や、リバーシブルにも可能なインナーベルトを設け装着したり、インナーベルトのみでも装着可能なことを特徴とするシューズ変身アンクレット。【選択図】図１
2018075331.tif 000002
【特許請求の範囲】
【請求項１】
ブレスレットのように付け替えが出来る輪状の飾りであるアンクレットにおいてブーツなどの履物の履き口や足首周辺に周回させる透明素材のクリアベルトであってベルトは袋状のような形で開口部を設け、この開口部からインナーベルト装着し、インナーベルトに様々な色やデザインを施してあることを特徴とするシューズ変身アンクレット。
【請求項２】
インナーベルトの両端にゴムやサイズ調節具等の取り付け固定手段を設けたことを特徴とするシューズ変身アンクレット。
【発明の詳細な説明】
【技術分野】
【０００１】  本考案は、女性用の履物に関する飾りものである。
【背景技術】
【０００２】  旅行や外出などで洋服の色やデザインによって履物を持参したいが、冬のブーツなどは重たく、スペースを取り持ち運びが不便である。
又、流行などで毎年新しくデザインや色違い等を買い揃えるのは収納や経済的にも大きく負担がかかる。
【先行技術文献】
【特許文献】
【０００３】
【特許文献１】
【発明の概要】
【発明が解決しようとする課題】
【０００４】  旅行や外出する時に流行などによって洋服の色やデザインなどに合わせてブーツなどの履物を持参したり新しく買い揃えたりの収納も経済的負担も大きく、困難である。
本発明は、以上の問題点を解決するためのものである。
【課題を解決するための手段】
【０００５】  ブレスレットのように付け替えが出来る輪状の飾りであるアンクレットをブーツなどの履物の履き口や足首周辺に透明素材の袋状のベルトを用い、ベルト開口部を有するクリアベルトを形成し、クリアベルトの袋状の内部に様々なカラーや柄やリバーシブルにも可能なインナーベルトを設け装着したり、インナーベルトのみでも装着可能なことを特徴とする。
以上の構成よりなるシューズ変身アンクレット。
【発明の効果】
【０００６】  従来は旅行や外出先などに洋服やアクセサリーなどの色に合わせてブーツなどの履物を持参したり、黒やベージュなどの無難な履物を履いて出かけていたが、本発明により履物を持参せず、軽くてスペースを取らない色々なデザインや色のベルトを持参が可能になりベルトを変えるだけで一つの履物で色やデザインを楽しめる。
さらに流行に合わせて色違いやデザイン違いの履物を購入しなくてすむため、経済的で収納の心配もない。
カラーやデザインを変えるための中にセット出来るインナーベルトは簡単に出し入れでき、リバーシブルにも可能で色違いやデザイン違いなどにでき、ハロウィンやクリスマスなどの行事にも合わせたり流行の色やデザインにも一足で何通りにも変えることができる。
本発明は、所有しているブーツなど色々な既存の履物にブレスレットやアンクレットのように装着可能である。
【図面の簡単な説明】
【０００７】
【図１】本発明を示す斜視図
【図２】本発明の一部であるインナーベルトの側面図
【図３】本発明の使用状態を示す斜視図
【発明を実施するための形態】
【０００８】  以下、本発明の実施の形態を説明する。
（イ）ブーツなどの履物（６）の履き口の部分に透明な袋状のベルトであるクリアベルト（１）を設ける。
（ロ）クリアベルト（１）のベルト開口部（２）に裏表が色違い、あるいは裏表が違うデザインなどのクリアベルト（１）より少し幅が狭く、長さも少し短めのインナーベルト（４）を装着する。
（ハ）インナーベルト（４）の出し入れは容易なので裏表だけでなく幾通りにも交換が可能である。
（ニ）履物の履き口の大きさに合わせられるようにクリアベルトやインナーベルトにサイズ調節具を設ける。
本発明は以上のような構造である。
本発明を利用するときは、シンプルなブーツなどの履物の履き口や履物の足首周辺にインナーベルト（４）を装着したクリアベルト（５）をブーツなどの履き口や足首周辺のサイズに合わせて付属のサイズ調節具（３）によりブレスレットのように装着する。
なおブーツなどの履物の履き口付近に飾りなどが施されていてクリアベルトが装着しにくい場合やデザインなどによってはインナーベルトに直接サイズ調節具を設けて装着可能である。
【符号の説明】
【０００９】  １  クリアベルト
２  クリアベルト開口部
３  サイズ調節具
４  インナーベルト
５  ブーツに装着したシューズ変身アンクレット
６  シューズ
【図１】
2018075331.tif 000003
【図２】
2018075331.tif 000004
【図３】
2018075331.tif 000005
(57)【要約】【課題】傘の所持移動の際の煩わしさがストレスになる。という課題がある。【解決手段】  傘本体に設置したもしくは内蔵した、巻き取り機能を備えたベルト巻き取り機を用いる。巻き取り機は、ベルトと傘カバーの出し入れ機能を備える。ベルトを引き出すと同時に、ベルトと一緒に重ねて収納していた傘カバーも同時に露出し、ベルトを収納すると同時に傘カバーも収納できる。傘カバーで傘を覆うことにより防汚できる。ベルトを持ち手にすることにより、畳んだ傘の所持とその移動が簡単にできる傘ホルダー。という解決手段を構じた。【選択図】図１
2018083033.tif 000002
【特許請求の範囲】
【請求項１】
巻き取り機能を備えたベルト該巻き取り機械を、傘の本体に内蔵する構造を特徴とする傘ホルダー。
【請求項２】
ベルト巻き取り機械に、ベルトと重ね合わせて傘カバーを収納している、ベルトを引き出すと同時に傘カバーも同時に露出する構造の請求項１に記載の傘ホルダー。
【発明の詳細な説明】
【技術分野】
【０００１】  本発明は雨傘等（以下、傘と言う。）の、傘を閉じて畳んだ状態の収納・携帯方法に関する。
【背景技術】
【０００２】  傘は、棒状で持ち運びをされている。【０００３】  傘ケース、傘カバーは、傘とは別途に付属品としてある。
【先行技術文献】
【特許文献】
【０００４】
【特許文献１】
【０００５】  特開２００５−３４２７８（公開番号）
【非特許文献１】
【０００６】  該当するものが見当たらない。
【発明の概要】
【発明が解決しようとする課題】
【０００７】  上述の特開２００５−３４２７８の提案によると、肩掛け用ストラップで、傘を開いた時のストラップの状態が本発明に比較して効率的ではない。という課題がある。【０００８】  傘を利用することは、所持・移動する際の持ち運びがしにくくて、知らず知らずのうちにストレスになっていること。生活上の傘に対する認識から、そのストレスを当然のこととして受け入れて我慢していること。という課題がある。【０００９】  雨に濡れた傘を持って移動すると、濡れた傘の接触により、多少なりとも濡れ・汚れる。という課題がある。【００１０】  たいていの傘にはカバーかケースが、別途にあるため紛失しやすい。という課題がある。
【課題を解決するための手段】
【００１１】  本発明は、傘の本体に、該巻き取り機能を備えたベルト該巻き取り機械（以下、巻き取り機という。）を設置・取り付ける。巻き取り機にはベルトとカバーを内蔵し、その一端を固定する。という手段を構じた。【００１２】  巻き取り機は、ベルトの出し入れと格納が自在にできる構造を設ける。という手段を構じた。【００１３】  既存の傘には、傘の柄を含む本体に巻き取り機を設置・取り付けることができる。という手段を構じた。【００１４】  傘を製造・製品化する際には最初から、巻き取り機を本体に設置することができる。という手段を構じた。【００１５】  傘を製造・製品化する際には最初から、傘の本体に巻き取り機能を備えた巻き取り機を内蔵する。という手段を構じた。【００１６】  傘本体に内蔵する巻き取り機は、傘の開閉時の運動に連動する。特にそれを発揮するのは、傘を開くと同時に巻き取り機がベルトを巻き取ることができる。という手段を構じた。【００１７】  持ち手ベルトの中に、着脱自在な傘カバー（以下、カバーという。）を収納する。という手段を構じた。【００１８】  傘を持ち運びする時にベルトを引き出して、傘ホルダーとして使用する。例えば雨に濡れた傘に接触するのを防止するために、カバーで傘を覆うことが簡単にできる。という手段を構じた。【００１９】  巻き取り機にベルトとカバーを一緒に重ね合わせて収納する。ベルトを巻き取り機から引き出すと同時に、ベルトと一緒に重ね合わせて収納していたカバーも同時に露出する。ベルトを巻き取り機に収納するとカバーも同時に巻き取り機に収納する。という手段を構じた。
【発明の効果】
【００２０】  すでに持っている傘に巻き取り機を設置・取り付けることができ、既存品の継続使用ができる。という効果がある。【００２１】  製造製品化の際には最初から巻き取り機を、設置することができ、最初から本体に内蔵することができる。という効果がある【００２２】  巻き取り機は、小型軽量傾向にあり、概して安価で、傘の簡素化の効果がある。【００２３】  世の人々の傘にまつわるストレスを軽減させる。効果がある。
【図面の簡単な説明】
【００２４】
【図１】傘ホルダー側面図、
【図２】Ａ−Ａ断面図、
【図３】Ｂ−Ｂ断面図、
【発明を実施するための形態】
【実施例】
【００２５】  以下、本発明の１実施例を符号に基づき詳説する。【００２６】  ７−傘本体を閉じて、７−傘本体に設置した１−ベルト巻き取り機の３−ベルト出し入れ口から４−ベルトをひきだして、ベルトの着脱自在な連結部を、５−着脱自在な連結部を付けた２−受け具に取り付ける。引き出した４−ベルトが、傘ホルダーとなる構造で構成されている。【００２７】  １−ベルト巻き取り機から４−ベルトが出てくると同時に、４−ベルトと一緒に重ね合わして収納していたカバーが露出して、７−傘本体を覆うことができる構造で構成されている。【００２８】  傘として使用する際は、４−ベルトを２−ベルト受け具から外して、１−ベルト巻き取り機に収納すると同時に、カバーも１−ベルト巻き取り機に収納するという構造で構成されている【００２９】  ７−本体に内蔵した巻き取り機の傘を開く際は、２−ベルト受け具から外した４−ベルトが、１−ベルト巻き取り機に連動して巻き取られて収納する構造で構成されている。
【符号の説明】
【００３０】  １．  ベルト巻き取り機械
２．  ベルト受け具
３．  ベルト出し入れ口
４．  ベルト
５．  連結部
６．  傘の骨部
７．  傘の本体部
８．  ベルト長短調節具
【図１】
2018083033.tif 000003
【図２】
2018083033.tif 000004
【図３】
2018083033.tif 000005
(57)【要約】      （修正有）【課題】これまでの手の保持装具は、手首の角度が固定されていて調節ができず、指先を円滑に動かすことができる装置を提供する。【解決手段】保持装具の手首の角度を調整できるようにし、指先が円滑に動かせるようにすることによって使用者が簡単に指先を動かせるようにする。手首を手の甲の側に曲げる背屈と、手首を掌の側に曲げる掌屈の角度を調整するとともに、指先を円滑に動かせるようにして、障害者や治療者が簡単な手作業ができるようにする。【選択図】図１
2018083035.tif 000002
【特許請求の範囲】
【請求項１】
使用者の障害や症状の状況に応じて手首の関節部分の角度を調節できる保持装具。
【請求項２】
指先が円滑に動かせるようにした保持装具。
【発明の詳細な説明】
【技術分野】
【０００１】  この発明は、腕や手首に障害を有する場合や、傷病等の治療のために前腕部と手掌部を安全保持する場合に使用する装具の形状に関する。
【背景技術】
【０００２】  従来の手の保持装具の形状は、手首が固定される形式であったため、使用者の障害や症状に対して適切に対応することができなかった。
【発明の概要】
【発明が解決しようとしている課題】
【０００３】  手の背屈（手首を手の甲の側に曲げること）と掌屈（手首を掌の側に曲げること）の角度を調整するとともに、指先を円滑に動かせるようにして、障害者や治療者が簡単な手作業ができるようにする。
【課題を解決するための手段】
【０００４】  以上の課題を解決するために、第一発明は、保持装具を前腕部と手掌部に分け、それを可動式の連結部でつなぐ。また、第二発明は、親指及び他の四指の付け根のあたりをベルトで保持装具に固定し、指の第二関節から先を動かせるようにする。
【発明の効果】
【０００５】  第一発明および第二発明によれば、障害者や治療者が軽い作業、手話、筆記、家事などを行なうことができる。
【図面の簡単な説明】
【０００６】
【図１】  この発明の一実施形態を示す全面図である。
【図２】  この発明の一実施形態を示す背面図である。
【図３】  この発明の小指側の側面図である。
【発明を実施するための形態】
【０００７】  この発明の一実施形態を、図１に示す。
前腕部と手掌部に分けた保持装置を可動式の連結部でつなぎ、適切な角度にした上でギア式止め金具によって固定する。親指及び他の四指をとめるベルトの内側にはソフトな素材のパッドを取り付けて指が痛くないようし、ベルトは面ファスナーで保持装具に固定する。
保持装具の先をカットしてあるので、指先を自由に使える。
保持装具には複数個の通気口が設けられているので蒸れることがない。
【実施形態の効果】
【０００８】  この実施形態によれば、障害者や治療者は前腕部の安全を確保しながら軽微な作業や家事などを行なうことができ、快適に装具を使用することができる。
【他の実施形態】
【０００９】  図１の実施形態では、装具を固定する面テープであるが、これを合成樹脂製または金属製の簡易な留め具に置き換えることもできる。
【符号の説明】
【００１０】１  保持ベルト            ２  手掌部保持装置
３  ギア式止め金具        ４  前腕部保持装置
【図１】
2018083035.tif 000003
【図２】
2018083035.tif 000004
【図３】
2018083035.tif 000005
(57)【要約】【課題】従来のビニールシートは防水性に優れているが吸水性がなく、座り心地が悪いという課題があった。これはビニールシートだけで作られていることによる。【解決手段】従来のビニールシートを裏面に利用し、表面をにタオル生地などの吸収性、触感性のあるものを組み合わせ重ねることにより問題を解決できる。本発明のタオルシートは機能性と実用性を組み合わせた、様々の場面での使用が期待できるものである。【特許請求の範囲】
【請求項１】
タオルシートは表面がタオル地等、裏面がビニールやポリエチレンフィルム等で構成されていて、アウトドアやレジャー用、日常生活の多岐に渡る場面で使用できる、吸水性、防水性に優れた多機能的シートである。
【請求項２】
タオルシートの表面の生地は、布製のフエルト、ブランケット、羽毛等多様多種な生地で構成される。タオルシート裏面の生地もプラスチック、ビニール、アクリル等で構成される。
【請求項３】
タオルシートは大きさ、形状も豊富で、マット、バッグ、枕、風呂敷、敷物に兼用できる用品である。
【発明の詳細な説明】
【技術分野】
【０００１】  本発明はアウトドア、レジャー用品、一般家庭用の日常用品に関する。【０００２】  従来のアウトドア、レジャー用のシートはビニール製で主に敷物として利用されている（例えば、実開平０６−０４１５３４文献参照）。
【先行技術文献】
【特許文献】
【０００３】
【特許文献１】  実開平０６−０４１５３４
【非特許文献】
【０００４】
【非特許文献１】  ヤフーショッピング  リッチライブ  シートマット防水  サンライズ株式会社
【発明の概要】
【発明が解決しようとする課題】
【０００５】  以上述べた従来のシートマットは、防水性に優れてはいるものの座り心地の悪さや吸水性がなく機能的ではなかった。【０００６】  本発明のタオルシートは、このような従来の構成が有していた問題を解決しようとするものであり、機能性と実用性を実現することを目的とする。
【問題を解決するための手段】
【０００７】  そして、本発明は上記目的を達成するために、表地はタオル生地等の吸水性があり柔らかい触り心地の良い感触の素材を使用し、裏面はビニール等の防水機能を有するものをひとつのシートにしたものである。
【０００８】  また、軽量で持ち運びがしやすく、敷物として利用することの他にバックや風呂敷、マット、枕としても使用できる。
【発明の効果】
【０００９】  上述のように本発明は表面はタオル等吸水性に優れた生地を使用し実用的、裏面はビニール等の防水性に優れた生地を利用し機能的で、アウトドアや日常家庭の様々な場面で利用することができる。
【００１０】  また、表面はブランケット等感触のよい生地を使用することにより座り心地さを追求でき、防寒用としても利用できる多種多様な使い方ができる。
【図面の簡単な説明】
【００１１】
【図１】  本発明の表面全体図
【図２】  本発明の裏面全体図
【図３】  本発明の部分的断面図
【発明を実施するための形態】
【００１２】以下、本発明の実施の形態を図１から図３に基づいて説明する。
【００１３】  図１においては、タオル生地等の表面である。体を拭いたり、テーブルを拭くことができる。またシート代わりに使用することも可能である。
【００１４】  図２においてはビニール等の裏面である。裏面を下にして地面、ビーチ等に敷く。土や砂などの汚れがつきにくく、汚れも落としやすい。使用後は畳んでそのまま持ち帰ることも可能。
【００１５】  図３は本発明の部分的断面図である。外側が防水性機能のあるビニール等で覆われ、内側がタオル等の生地である。
【図１】
2018083031.tif 000002
【図２】
2018083031.tif 000003
【図３】
2018083031.tif 000004
(57)【要約】      （修正有）【課題】交通事故などによってむち打ち症にかかった場合に長時間連続使用しても蒸れにくく、使い心地の良いネックカラーを提供する。。【解決手段】ネックカラー１に複数の穴３を設けて空気の流通をよくする。更にカラフルな色彩を使っておしゃれな感じを持たせる。【選択図】図３
2018083034.tif 000002
【特許請求の範囲】
【請求項１】
本体とガーゼに通気口を開けたネックカラー。
【請求項２】
本体にカラフルな色を使用したネックカラー。
【発明の詳細な説明】
【技術分野】
【０００１】  この技術は、交通事故などによってむち打ち症にかかった場合に使用するネックカラー（首用コルセット）の形状及び色彩に関する。
【背景技術】
【０００２】  従来のネックカラーは、軽傷の場合は寝返りを打ちやすいようにソフトタイプのものを使用し、重症の場合は首をしっかりと固定するためにハードタイプのものを使用し、色はほとんど白に限られていた。
【発明の概要】
【発明が解決しようとしている課題】
【０００３】  しかしながら、以上の技術によれば、ネックカラーを長時間連続使用すると蒸れたり、いかにも怪我人だという印象を周囲の人に与えたりするので、使うことを躊躇するという弊害があった。
そこで、この発明は、蒸れにくくすることと、カラフルな色彩のものにして心地よい使用感を得られるようにすることを課題とする。
【課題を解決するための手段】
【０００４】  以上の課題を解決するために、第一発明は、ネックカラーに複数の穴を設けて空気の流通をよくすることである。
また、第二発明は、ネックカラーの表の面にカラフルな色彩を使用しておしゃれな感じを持たせることである。
【発明の効果】
【０００５】  第一発明および第二発明によれば、むち打ち症の患者は気分よく、気兼ねなく、おしゃれ感覚を持って治療具を使用することができる。
【図面の簡単な説明】
【０００６】
【図１】  この発明の実施形態を表側から見た図である。
【図２】  この発明の実施形態を裏側から見た図である。
【図３】  この発明の実施形態の斜視図である。
【図４】  この発明の概念図である。
【発明を実施するための形態】
【０００７】  この発明の一実施形態を、図３に示す。
ネックカラーの内側には通気性のよい固いガーゼを使用し、複数の通気口を開けて蒸れないようにし、入浴の時以外は長時間連続使用できるようにする。
ネックカラーの表側にはカラフルな色彩を使用する。
喉が当たる部分はえぐりを入れて痛くないようにする。
首の長さや症状に応じて、数種類の丈の高さのものを用意する。
ネックカラーは面テープ付きのベルトで固定する。
【実施形態の効果】
【０００８】  この実施形態によれば、むち打ち症の患者は蒸れずにネックカラーを使用することができ、しかも外出時や勤務時においてもおしゃれ感覚をもって気持ちよく装具を長時間連続使用することができる。
【他の実施形態】
【０００９】  図１の実施形態では、色をつけるだけでなく、水玉模様や星型模様などの装飾をあしらったり、子ども用のものには楽しいキャラクターデザインを使用したりすることもできる。
色をつけるのはネックカラーの表側の帯状の部分であるが、上面や側面さらに裏側にも色をつけることが可能である。
通気口の形状は円形であるが、ダイヤ型、ハート形など他の形状の穴でもよい。
ネックカラーを固定する面テープは、合成樹脂製または金属製の簡易な留め具に置き換えることもできる。
【符号の説明】
【００１０】１  ネックカラーの本体            ２  ベルト
３  通気口                        ４  ガーゼ
【図１】
2018083034.tif 000003
【図２】
2018083034.tif 000004
【図３】
2018083034.tif 000005
【図４】
2018083034.tif 000006
(57)【要約】      （修正有）【課題】いびきや無呼吸を防止する仰向き寝防止用具を使用した横向き寝睡眠中発生する肩の痛みを緩和する肩痛緩和用具を提供する。【解決手段】仰向き寝防止用具４の胴巻き帯２の胸側面腋下部位に胸当てパッド１を設けた。胸当てパッド１は肩掛け帯３と胴巻き帯２によって、寝返りなどに影響されることなく、定位置に保持される。【選択図】図２
2018083028.tif 000002
【特許請求の範囲】
【請求項１】
胴巻き帯の胸側面腋下部に当たる部位にパッドを取り付けた仰向け寝防止用具
【発明の詳細な説明】
【技術分野】
【０００１】本発明は、横向き寝時に発生する肩の痛みを緩和する用具に関するものである。
【背景技術】
【０００２】いびきや無呼吸を防止する一手段として仰向き寝防止用具（特許文献１参照）があるが、これを使用する際、横向き寝になる。しかし、横向き寝に於いては、しばしば肩部の圧迫により肩痛を発生する。
【先行技術文献】
【特許文献】
【０００３】
【特許文献１】  特願２０１６−１６４１１８
【発明の概要】
【発明が解決しようとする課題】
【０００４】  解決しようとする問題点は横向き寝姿勢にて睡眠中、肩部に集中する圧迫力を軽減させることを目的とする。
【課題を解決するための手段】
【０００５】  本発明は、横向き寝時、上半身体重の支点が肩部に集中することを避け、胸の側面腋下部に胸当てパッドを設けて、体重圧を胸部側面と肩に分散させるるため、肩への負担が減少する効果を得られる。
【発明の効果】
【０００６】  本発明の使用により、横向け寝時の肩痛は解消又は緩和される。
【図面の簡単な説明】
【０００７】
【図１】本発明の正面図である。
【図２】本発明使用時の斜視図である。
【発明を実施するための形態】
【０００８】  本発明は仰向き寝防止用具の胴巻き帯２の胸側面腋下部位に胸当てパッド１を設けたことを特徴とするものであり、胸当てパッド１は肩掛け帯３と胴巻き帯２によって、寝返りなどに影響されることなく、定位置に保持される。
【符号の説明】
【０００９】  １  胸当てパッド
２  胴巻き帯
３  肩掛け帯
４  仰向け寝防止用具
【図１】
2018083028.tif 000003
【図２】
2018083028.tif 000004
(57)【要約】【課題】  シャンプーや台所洗剤、ハンドソープなどの洗剤を使うとき、詰め替えボトルの底の面が乾くように、詰め替えボトルの背面上部にフックを設けた詰め替えボトルを提供する。【解決手段】詰め替えボトルの背面（１）にフック（２）を設けた、フック付き詰め替えボトルを特徴とする。【選択図】図１
2018083660.tif 000002
【特許請求の範囲】
【請求項１】
詰め替えボトルの背面上部（１）にフック（２）を設けたフック付き詰め替えボトル。
【発明の詳細な説明】
【技術分野】
【０００１】  この発明は、シャンプーや台所洗剤、ハンドソープなどの詰め替えボトルの背面上部にフックをつけることで、ボトルそのものを様々な所に引っ掛けることができ、ボトルの底の面を常に乾燥させておけるものである。
【背景技術】
【０００２】  従来、ボトルの底は、底面に接しており、乾くことがなかった。
【先行技術文献】
【特許文献】
【０００３】
【発明の概要】
【発明が解決しようとする課題】
【０００４】  これは次のような欠点があった。
従来、シャンプーボトルの底の面は床についており、石鹸カスや湯垢がたまり、ほっておくと、かびや汚れがこびりついてしまうため、お風呂掃除の度にボトルを洗うという手間がかかっていた。
本発明は、以上のような欠点をなくすためになされたものである。
【課題を解決するための手段】
【０００５】  シャンプーボトルの背面上部（１）にフック（２）を設ける。
本発明は、以上の構成よりなるフック付き詰め替えボトルである。
【発明の効果】
【０００６】  詰め替えボトルがフックと一体になっているので、タオル掛けやシャワーかけなど、様々な所にひっ掛けることができる。
フックと一体化した詰め替えボトルは、簡単に掛けることができるため、詰め替えボトルの底の面は、常に乾かすことができ、衛生的である。
【図面の簡単な説明】
【０００７】
【図１】本発明の斜視図である。
【図２】本発明の側面図である。
【発明を実施するための形態】
【０００８】  以下、本発明を実施するための形態ついて説明する。
詰め替えボトルの背面上部（１）にフック（２）を設ける。
本発明は、以上のような構造である。
これを使用するときは、シャンプーや台所洗剤、ハンドソープなどの洗剤を使用後、タオル掛けやシャワー掛けなどの様々な所に、背面上部に設けたフックを使って掛け、詰め替えボトルの底の面を乾かせばよい。
【符号の説明】
【０００９】  １  シャンプーボトルの背面
２  フック
【図１】
2018083660.tif 000003
【図２】
2018083660.tif 000004
(57)【要約】【課題】従来の小型無人航空機は、墜落に伴なう事故防止の機能がないこと。【解決手段】従来の小型無人航空機に簡易に取り付けることで、飛行中の小型無人航空機の無線操作が不能になった状態やバッテリー切れになった状態が発生し墜落する際、プロペラが回転することで、ねじ込み式の支柱棒がねじ込まれることにより、注入装置が開放され、内蔵の圧縮されたヘリウムガスが注入され、膨張自在な筒状密封膜材が膨脹することにより、小型無人航空機の急速な墜落を防止することで人や物に激突する重大な事故や高額な小型無人航空機の破損する事故を防止することができる。【選択図】図２
2018083604.tif 000002
【特許請求の範囲】
小型無人航空機の無線操作が不能になった状態やバッテリー切れになった状態が生じて、飛行中の小型無人航空機の墜落に伴なう人や物に激突する重大な事故と高額な小型無人航空機が破損する事故を防止するための機能を備えた事故防止装置としての特徴をもつ小型無人航空機の墜落に伴なう事故防止装置。
【発明の詳細な説明】
【技術分野】
【０００１】  本発明は、小型無人航空機の墜落に伴なう事故防止装置を取り付けることにより、墜落に伴なう重大事故と破損事故を防止するための小型無人航空機の墜落に伴なう事故防止装置に関するものである。尚、本願の説明において、小型無人航空機の墜落に伴なう事故防止装置と墜落事故防止装置とは同義語であって、以下の説明では、本願の小型無人航空機の墜落に伴なう事故防止装置を単に墜落事故防止装置と表現することがある。
【背景技術】
【０００２】  小型無人航空機の普及に伴なう墜落事故が発生するようになり従来の小型無人航空機では、無線操作が不能になった状態やバッテリー切れになった状態により、飛行中の小型無人航空機が急速に墜落することで人や物に激突する重大な事故が起こり得る。【０００３】  又、従来の小型無人航空機では、無線操作が不能になった状態やバッテリー切れになった状態により、飛行中の小型無人航空機が急速に墜落することで高額な小型無人航空機が破損する事故が起こり得る。
【先行技術文献】
【０００４】
【特許文献】
【特許文献】特表２０１４−５２８８６８  公報
【発明の概要】
【発明が解決しようとする課題】
【０００５】  本発明は、無線操作が不能になった状態やバッテリー切れになった状態が生じて、飛行中の小型無人航空機の墜落に伴なう人や物に激突する重大な事故と高額な小型無人航空機が破損する事故を防止するために、小型無人航空機に取り付ける墜落事故防止装置を提供することで前述の問題の解決を目的とするものである。
【課題を解決するための手段】
【０００６】  本発明は、上記課題を解決するための手段として次の構成を有している。
従来の小型無人航空機の上部もしくは下部に取り付けることにより、墜落に伴なう重大な事故と破損する事故を防止する装置を特徴としている。【０００７】  上記の墜落事故防止装置は、膨縮自在な筒状密封膜材とヘリウムガスを注入する注入装置とプロペラの回転による作動装置を備えている。【０００８】  上記の墜落事故防止装置は、飛行中の小型無人航空機が墜落する際、プロペラが回転することでねじ込み式の支柱棒がねじ込まれることにより、注入装置が開放され、内蔵の圧縮されたヘリウムガスが注入され、膨張自在な筒状密封膜材が膨張することにより、飛行中の小型無人航空機の急速な墜落を防止することで人や物に激突する重大な事故が起ることを解決できる。【０００９】  又、飛行中の小型無人航空機の急速な墜落を防止することで、高額な小型無人航空機の破損する事故が起ることも解決できる。
【発明の効果】
【００１０】  本発明の墜落事故防止装置は、従来の小型無人航空機に簡易に取り付けることができ、複雑な制御装置や複雑な改造の必要が要らず墜落に伴なう事故を防止できる効果がある。【００１１】  又、本発明の墜落事故防止装置は、従来の小型無人航空機の急速な墜落が発生した時に生じる気流の流力に対応して、プロペラが回転し支柱棒がねじ込まれることで注入装置が開放され、内蔵の圧縮されたヘリウムガスが膨張自在な筒状密封膜材に注入され膨張することで浮力が生じることで、小型無人航空機の墜落速度を緩和できるとともに、殆んど衝撃を受けない状態で着地することで墜落に伴なう事故を防止できる効果がある。
【図面の簡単な説明】
【００１２】
【図１】本発明の実施形態を示す墜落事故防止装置のＩＩ−ＩＩ断面図と平面図
【図２】図１の墜落事故防止装置の機能説明図
【発明を実施するための形態】
【００１３】  以下、図１〜図２を参照して本発明の好適な実施例を説明すると、この実施形態の墜落事故防止装置は、従来の小型無人航空機に取り付けるものである。
【００１４】  図１〜図２にある墜落事故防止装置１は、小型無人航空機に取り付けるための連結具２（例えば、マジックテープで固着）で簡易に取り付けることができる。
【００１５】  図１〜図２にある墜落事故防止装置１は、筒体３の内部に注入装置４（圧縮ヘリウムガスボンベ）が固着されている。又、可動域を設けたプロペラ５が墜落することで回転し支持棒６がねじ込まれることで注入装置４（圧縮ヘリウムガスボンベ）が開放され、内臓の圧縮されたヘリウムガスが膨張自在な筒状密封膜材７に注入され膨張することで浮力が生じることにより、小型無人航空機の墜落速度を緩和できるとともに、殆んど衝撃を受けない状態で着地することで墜落に伴なう事故を防止することができる。
【符号の説明】
【００１６】１は墜落事故防止装置、２は連結具、３は筒体、４は注入装置、５はプロペラ、６は支持棒、７は筒状密封膜材である。
【図１】
2018083604.tif 000003
【図２】
2018083604.tif 000004
(57)【要約】【課題】  近年あっては、高齢者が急速に増加し受け入れ施設が間に合わず、入居希望の高齢者が長期に待たされる結果になっている。政府・行政の公的介護サービスも限界に来ていて、軽度障害の高齢者等は自宅で生活をしてくださいと奨励しているのが現状である。在宅で何か異常が出ても本人から連絡できない場合があることが課題として求められている。【解決手段】  本発明にかかる自動通報装置は、赤外線人感センサーを複数設置し、人の動きが感知無しの時、通報までの時間をタイマーで任意に遅らせ、設定時間動きがない場合に、自動通報することを特徴とする。【選択図】図１
2018156615.tif 000002
【特許請求の範囲】
【請求項１】
在宅高齢者及び障害者をセンサーで見守るために、赤外線センサーを複数備えたことを特徴とする自動通報装置。
【請求項２】
前記の装置にドアセンサー及び、緊急もしくは連絡用手動押し釦が設置されることを特徴とする請求項１に記載の自動通報装置。
【請求項３】
本装置は外部に切り替えスイッチ及び監視時間タイマーが設置された見守り、防犯兼用の自動通報装置。更に、本装置は異常を感知し、指定された電話へ自動で発信する電話機能を設ける事を特徴とする請求項１または２に記載の自動通報装置。
【発明の詳細な説明】
【技術分野】
【０００１】  本発明は、在宅高齢者及び障害者をセンサーで動作を監視し、異常があれば自動的に電話回線で指定電話へ通報出来る装置。
【背景技術】
【０００２】  従来の防犯用通報装置と見守り監視用は別々の装置一台で両方を使用することが出来ない装置である。【０００３】  従来の装置は、インターネット回線を使用し、遠隔カメラで監視する方法で構成されている。
【発明の開示】
【発明が解決しようとする課題】
【０００４】  近年あっては、高齢者が急速に増加し受け入れ施設が間に合わず、入居希望の高齢者が長期に待たされる結果になっている。政府・行政の公的介護サービスも限界に来ていて、軽度障害の高齢者等は自宅で生活をしてくださいと奨励しているのが現状である。在宅で何か異常が出ても本人から連絡できない場合があることが課題として求められている。【０００５】  背景技術では、見守りと防犯用通報装置は別々には存在しているが、簡易低価格で両方を一台で使用できないという課題があった。さらに、インターネット回線を使用して監視カメラで監視すると、在宅者のプライバシー保護の観点から嫌がられる課題があった。【０００６】  本発明は上記従来の課題に鑑みて創案されたものであって、電話回線を利用し、低価格で高機能なる装置を、提供することを目的とする。
【課題を解決するための手段】
【０００７】  本発明にかかる自動通報装置は、赤外線人感センサーを複数設置し、人の動きが感知無しの時、通報までの時間をタイマーで遅らせ、設定時間動きがない場合に、自動通報することを特徴とする。【０００８】  前記自動通報装置にドアセンサーを複数設置し、センサー不感知をタイマーで遅らせ、設定時間内に人の動きがない場合、自動通報することを特徴とする。【０００９】  前記自動通報装置において、装置本体に、見守りと防犯とを選択可能の切り替えスイッチを設けた。さらにタイマーも設け、人の不感知時間を任意設定できることを特徴とする。
【発明の効果】
【０００１０】  本発明にかかる自動通報装置にあっては、異常時に在宅高齢者や障害者の監視がセンサーにより常時自動的に可能になり、本人及び家族が安心して自自分の住み慣れた家で生活出来る効果がある。
【発明を実施するための最良の形態】
【０００１１】  以下に、本発明にかかる自動通報装置の好適な実施形態を、添付図を参照して詳細に説明する。実施形態にかかる自動通報装置は基本的には図１に示すように、自動通報装置本体１を居宅内に設置し電話回線と接続する。さらに人感センサー及びドアセンサー３を、在宅高齢者４が良く移動する場所複数に設置する。人感センサー反応なしでカウントするタイマー２、により設定した時間を超えたとき装置本体に信号を送り、指定先電話に異常を通報するように構成される。【０００１２】  在宅高齢者４が自ら連絡を取りたいときは非常連絡用手動押し釦５を押せば自動通報装置から指定電話にワンプッシュで発信可能である。【０００１３】図１に示すように、実施形態にかかる自動通報装置では、防犯用として、切り替えスイッチを設置されており、外出時は防犯見張り用として機能する。
【図面の簡単な説明】
【００１４】
【図１】本発明にかかる自動通報装置の実施形態を示す図である。
【符号の説明】
【００１５】  １  自動通報装置本体
２  不動作時間タイマー
３  人感センサー及びドアセンサー
４  在宅高齢者及び障害者
５  非常及び連絡用押し釦
【図１】
2018156615.tif 000003
(57)【要約】【課題】航空障害灯において、上下方向の配光方向を容易に調整できる航空障害灯を提供すること。【解決手段】本発明の航空障害灯は、基板と、基板に配置された複数の光源と、基板を囲むように覆いかつ光源に対向した位置に開口部が設けられた筺体と、開口部の全体を覆いかつケースの前面側にレンズ位置調整機構を備えていることを特徴とする。また、レンズ位置調整機構は、レンズが正面から見て斜め方向へ可動することを特徴とする。【選択図】図１
2018147664.tif 000002
【特許請求の範囲】
【請求項１】
基板と、前記基板に配置された複数の光源と、前記基板を囲むように覆いかつ前記光源に対向した位置に開口部が設けられた筺体と、前記開口部の全体を覆いかつ前記ケースの前面側にレンズ位置調整機構を備えていることを特徴とする航空障害灯。
【請求項２】
前記レンズ位置調整機構は、レンズが正面から見て斜め方向へ可動することを特徴とする請求項１に記載の航空障害灯。
【発明の詳細な説明】
【技術分野】
【０００１】
本発明は、航空障害灯に関し、特に高層建造物に設置され、障害物の存在を発光表示する航空障害灯に関する。
【背景技術】
【０００２】
航空障害灯は、航空機等が安全に航行できるように、高層ビル、鉄塔等の高層建造物に設置することが法律で義務づけられている。また、高さ１５０ｍ以上の建築物には、高光度航空障害灯として、屋外・高位置に設置され、昼夜共にストロボのように白色光を点滅させ、航空機等の操縦士に認知させている。
【０００３】
例えば、特許文献１には、光源と鏡体で構成されたケースによる航空障害灯が開示されている。
【０００４】
また、特許文献２には、ＬＥＤ光源とフレネルレンズで構成されたケースの航空障害灯が開示されている。これらの組合せで光源から発生する光を必要な方向だけに放出するように調整している。
【先行技術文献】
【特許文献】
【０００５】
【特許文献１】特開２００２−４２５０６号公報
【特許文献２】特開２０００−２６０２０２号公報
【発明の概要】
【発明が解決しようとする課題】
【０００６】
一般的に、航空障害灯は、発光部、電源部、周辺照度検出器などで構成され、設置場所の環境にともない、耐風、耐温度、耐雨、耐蝕性などの耐久性や、航空標識として、動作精度・信頼性には厳しい基準が要求されている。
【０００７】
しかしながら、従来技術は、ランプ光源や低光度の仕様であれば問題は少ないが、ＬＥＤ光源や高光度の仕様の場合、光源位置とレンズ位置の調整が必要である。構造上の制約からケース（モジュール）の分解組立を繰り返して調整する必要があり、工数が増大するという課題がある。
【０００８】
従って、本発明は、上述した課題を解決するためになされたものであり、上下方向の配光方向を容易に調整できる航空障害灯を提供することを目的とする。
【課題を解決するための手段】
【０００９】
上述の課題を解決するために、本発明は、以下に掲げる構成とした。
本発明の航空障害灯は、基板と、基板に配置された複数の光源と、基板を囲むように覆いかつ光源に対向した位置に開口部が設けられた筺体と、開口部の全体を覆いかつケースの前面側にレンズ位置調整機構を備えていることを特徴とする。また、レンズ位置調整機構は、レンズが正面から見て斜め方向へ可動することを特徴とする。
【発明の効果】
【００１０】
本発明は、以上のように構成されているので、上下方向の配光方向を容易に調整できる航空障害灯を提供することができる。
【図面の簡単な説明】
【００１１】
【図１】本発明の実施例１に係る航空障害灯の構造を示す側面断面図である。
【図２】本発明の実施例１に係る航空障害灯のレンズ可動を説明する正面図である。
【図３】本発明の実施例１に係る航空障害灯の配光を説明する側面断面図である。
【発明を実施するための形態】
【００１２】
以下、本発明を実施するための形態について、図を参照して詳細に説明する。ただし、本発明は以下の記載に何ら限定されるものではない。
【実施例１】
【００１３】
本発明の実施例１に係る航空障害灯を説明する。図１は、航空障害灯の構造を示す側面断面図である。図２は、その正面図である。
【００１４】
図１に示すように、航空障害灯１０は、基板１、光源２、筺体３、レンズ４、レンズ位置調整機構５で構成されている。
【００１５】
基板１は、板状のもので、単数である。正面（前面）から見て、水平（横）方向に長方形をしている。また、基板１は、筺体３の後板で保持されている。
【００１６】
光源２は、発光体である。図では簡略化して表示している。光源２は、基板１の中央部で、水平（横）方向へ1列に複数個配置されている。例えば、高光度の白色光を発光するＬＥＤが使用できる。光源２をＬＥＤにすることによって、キノセンランプ（電球）よりも高寿命、軽量化、コスト抑制、発熱抑制に有効である。
【００１７】
筺体３は、背面の後板、左右両側面の側板、上下面の水平板で構成された箱形状である。筺体３は、基板１を囲むように覆い、後板に対向する面が開口されている。開口部は基板１の光源２に対向し、光の放出部となる。
【００１８】
レンズ４は、筺体３の開口部の全体を覆っている透過性カバーであり、基板１に平行して、航空障害灯の前面に位置している。例えば、配光調整用のレンズとして、フレネルレンズを用いて、集光レンズと拡散レンズを組み合わせることができる。
【００１９】
レンズ位置調整機構５は、レンズ４の位置調整のために、レンズ４を筺体３の前面で可動させる機構である。
【００２０】
図２に示すように、可動方向６としては、斜め方向に可動する。フレネルレンズにおいて、凹凸４１を水平（横）方向に構成する。このレンズを斜め方向に可動することによって、凹凸４１位置を上下することができる。
【００２１】
効果としては、光軸を調整する場合、通常レンズを外し、光源の位置を調整するが、筺体前面でレンズを可動させれば、レンズを外す（分解する）ことなく、外部から調整することができる。よって、レンズを筺体の前面に位置することで、容易に光軸を調整することができる。すなわち、図３に示すように光源２の配光７１は一定で、レンズ４の配光７２を自由に調整できる。
【００２２】
上述のように、本発明を実施するための形態を記載したが、この開示から当業者には様々な代替実施の形態、実施例が可能であることが明らかになるはずである。
【００２３】
レンズ４の可動を斜め方向に可動としたが、新たに傾倒ユニット機構を設けてもよい。これにより、レンズを傾かせることができ、可動範囲が多くなり、配光を細かく調整することができる。
【符号の説明】
【００２４】
１、基板
２、光源
３、筺体
４、レンズ
４１、凹凸
５、レンズ位置調整機構
６、可動方向
７１、７２、配光
１０、航空障害灯
【図１】
2018147664.tif 000003
【図２】
2018147664.tif 000004
【図３】
2018147664.tif 000005
(57)【要約】【課題】従来の織物式ヘッドカバーや縫製成形でファスナー開閉するヘッドカバーの課題は耐衝撃性の低さと着脱の困難さである。擦れ程度の傷は防止できるが一定以上の衝撃に耐えることができずヘッドのへこみや破損が起こっている。織物式はヘッド部分が大きく、シャフト部分が細い構造が一般的でシャフトカバー部分にヘッドを先に通す為、着脱には慣れが必要であった。また大きすぎる容量は、ユーティリティウッド使用者の増加とともに、ゴルフバッグに全てのクラブの収納を困難にしている。【解決手段】本発明は、ゴルフクラブのヘッドとヘッドとシャフトの接続部分の形状にあわせて成形し、取り出し部分が開いた形状により着脱性を担保しながら、EVAをはじめとする伸縮性かつクッション性の高い素材により、耐衝撃保護性を高めること、クッション性の高い素材により、ヘッドカバーの一回り大きなサイズにより、容量を押さえることで従来の課題を解決する。【選択図】図１
2018192070.tif 000002
【特許請求の範囲】
【請求項１】
伸縮性かつクッション性のある材料でヘッド部分を覆い、一部が開放形状を持つヘッドカバー
【請求項２】
伸縮性かつクッション性のある材料でシャフトの一部または全部、およびヘッド部分とシャフトの接合部を覆い、一部が開放形状を持つヘッドカバー
【請求項３】
前述かつ同材質による回転式の蓋により、フェイス面を覆う構造を持つヘッドカバー
【発明の詳細な説明】
【技術分野】
【０００１】
本発明はゴルフクラブ用のヘッドカバーの構造に関する。
【背景技術】
【０００２】
通常ゴルフクラブのヘッドには、クラブ同士の接触による傷を防ぐ目的でヘッドをカバーを付けることが多い。一般的にヘッドカバーは、伸縮しやすい毛糸などの織物状のものや、繊維をヘッドの形状に裁断しファスナー等で留める形状である。これらのヘッドカバーは、（１）強い衝撃がかかった場合のクラブヘッドを破損から守る効果が低い、（２）ヘッドカバーの着脱にしにくい、（３）ヘッドカバーの容量が大きく、昨今のロングアイアンに代わりユーティリティウッドと呼ばれるクラブを多用することで、ヘッドカバーを必要とするクラブが多くなり、ゴルフバックフードに収まりきらない、という欠点があり、改善が望まれている
【発明の概要】
【発明が解決しようとする課題】
【０００３】
従来の織物式のヘッドカバーの課題は（１）耐衝撃性の低さと（２）着脱性の困難さ、（３）大きすぎる容量である。耐衝撃性の問題としては、擦れ程度の傷は防止できるが一定以上の衝撃には耐えることができずヘッドのへこみや破損の発生が頻繁に起こっている。着脱性の問題としては、ヘッドカバーは、ヘッド部分が大きく、シャフト部分が細くなる構造が一般的であり、シャフトカバー部分にヘッドを先に通す必要があることから、着脱には慣れが必要である。また大きすぎる容量は、ユーティリティウッド使用者の増加とともに、ゴルフバッグに全てのクラブの収納を困難にしている。  一方繊維などを縫製などで成形しファスナーで開閉するタイプのヘッドカバーも、耐衝撃性は低く、破損を防止するには至っていない。ファスナーの開閉による着脱の為、織物式に比べると着脱は比較的しやすい一方、ファスナーそのものがヘッドに傷をつける場合があり、課題となっている。また容量の問題は解決されておらず、、ゴルフバッグに全てのクラブの収納を困難にしている。本発明において、従来のゴルフのヘッドカバーの３つの課題である、耐衝撃性と着脱性、大きすぎる容量の課題を解決する。
【課題を解決するための手段】
【０００４】
本発明は、ゴルフクラブのヘッドとヘッドとシャフトの接続部分の形状にあわせて成形し、取り出し部分が開いた形状により着脱性を担保しながら、EVAをはじめとするクッション性の高い素材により、耐衝撃保護性を高めること、更に高いクッション性素材により、従来に比べて、薄い素材により、容量をヘッドサイズの一回り大きなサイズ程度に抑える事で前述の従来の課題を解決する。
【図面の簡単な説明】
【０００５】
【図１】本発明を実施したヘッドカバーをクラブヘッドに装着した図
【図２】本発明によるヘッドカバーのクラブヘッド、シャフト挿入口図
【図３】本発明のヘッドカバーにおける、ヘッド部分を挿入する内側を示す図
【図４】シャフト部分およびシャフトとヘッド部分の接続部を固定する形状の図
【図５】ファイス部分を覆う回転式の蓋を持つヘッドカバー
【発明を実施するための形態】
【０００６】
以下、本発明の実施の形態を図面に基づいて詳細に説明する。ただし、本発明は多くの異なる態様で実施することが可能であり、本実施の形態の記載内容に限定して解釈すべきではない。なお、実施の形態の全体を通して同じ要素には同じ番号を付するものとする。
【０００７】
図１は本発明を実施したヘッドカバーにゴルフクラブを挿入した側面図である。（１）ヘッドカバーの材質は、伸縮性かつクッション性を満たすEVA、スポンジ、ゴム材からなる。伸縮性、クッション性を満たす材料であれば、限定しない。（２）図２のヘッド部分の挿入口は、開放形状であり、挿入口は、ヘッドサイズよりも小さく、かつフェイス面の一部が覆われる形状または、全部が覆われ且つ、上下で分割される形状を持つ事により、加重により挿入、取り出しが簡易にでき、加重なしには外れない形状あるいは、一部または全部の覆いの代わりに、ファイス面を覆う回転式の蓋を持つ形状（図５）となる。（３）同形状により、ヘッド部分がヘッドカバーのクッション性により、損傷を防止できるとともに、フェイス面の一部を覆う形状によりクラブ同士の接触によるフェイス面の損傷を防止できる。（４）図２のシャフト挿入口は、、開放形状であり、かつ同挿入口は、シャフトの一部とヘッドとシャフトの接続部の大部分を覆う形状または全部を覆い且つ左右で分割する形状を持つことにより、加重により挿入、取り出しが簡易にでき、加重なしには外れない形状となる。（５）同形状により、シャフト部分およびヘッドとシャフトの接続部分がヘッドカバーのクッション性により、損傷を防止できる。（６）図３において内側の空洞部分は、ゴルフクラブのヘッド部分が挿入される部分であり、ヘッドの形状かつ同容量と同等あるいは、伸縮素材の許容範囲での小さい容量あるいは、ヘッドの形状から最大３０mm程度大きくした容量とする。（７）シャフト挿入部分の内側の空洞部分は、シャフトの形状かつ同容量と同等あるいは、伸縮素材の許容範囲での小さい容量とすることで、この部分によりヘッドカバーとクラブが固定されることでヘッドカバーが外れることを防止する。（図４）  
【図１】
2018192070.tif 000003
【図２】
2018192070.tif 000004
【図３】
2018192070.tif 000005
【図４】
2018192070.tif 000006
【図５】
2018192070.tif 000007